(57)【要約】      （修正有）【課題】電線や配管等の収容物を地中に容易に埋設できる埋設構造物を提供する。【解決手段】内部に収容物を収容した状態で地中に埋設する埋設構造物１００であって、収容物を収容する収容部本体２００を備え、収容部本体は、底壁２１０と底壁の両側の側壁２２０を備え、側壁には、収容物引き出しのための貫通孔を容易に形成するための薄肉部２２１が形成され、底壁には、雨水排出用の貫通孔が形成されている。【選択図】図１
0003217909.tif 000002
【実用新案登録請求の範囲】
【請求項１】
内部に収容物を収容した状態で地中に埋設する埋設構造物であって、
前記収容物を収容する収容部本体を備え、
当該収容部本体は、底壁と当該底壁の両側の側壁を備え、
前記側壁には、薄肉部が形成され、
前記底壁には、貫通孔が形成されていることを特徴とする埋設構造物。
【請求項２】
前記側壁の外側の表面には凹部が形成されており、
当該凹部の裏面に、前記薄肉部が配置されていることを特徴とする請求項１に記載の埋設構造物。
【請求項３】
前記側壁の上端には、蓋体を載置する蓋掛部と、当該蓋掛部に隣接する位置決め板とが設けられており、
当該位置決め板は、前記蓋掛部の外側に向けて傾斜していることを特徴とする請求項１又は２に記載の埋設構造物。
【考案の詳細な説明】
【技術分野】
【０００１】
本考案は、内部に電線等の収容物を収容した状態で、地中等に埋設される埋設構造物に関するものである。
【背景技術】
【０００２】
従来から、電線や配管等を地中に埋設する際は、地面を掘り返して、地中に電線や配管等を配置し、その後埋め戻しを行っていた。ただ、電線等の設置やメンテナンス等を行う度に、地中を掘り返して、また埋め戻すのは非常に面倒であり煩雑な作業であった。
【考案の概要】
【考案が解決しようとする課題】
【０００３】
そこで、本考案は上記問題に鑑み、電線や配管等の収容物を地中に容易に埋設できる埋設構造物を提供する。
【課題を解決するための手段】
【０００４】
上記課題を解決するために、本考案の埋設構造物は、内部に収容物を収容した状態で地中に埋設する埋設構造物であって、前記収容物を収容する収容部本体を備え、当該収容部本体は、底壁と当該底壁の両側の側壁を備え、前記側壁には、薄肉部が形成され、前記底壁には、貫通孔が形成されていることを特徴とする。
【０００５】
当該特徴によって、電線や配管等の収容物を収容部本体内に収容するだけで、収容物を地中に容易に埋設できる。さらに、側壁に薄肉部が形成されているので、収容物の引き出しのために、薄肉部に貫通孔を容易に形成することができる。さらに、収容物を収容した収容部本体の底壁には貫通孔が形成されているので、収容部本体内に雨水等が侵入しても、当該雨水は貫通孔を介して埋設構造物の外部へ排出される。
【０００６】
さらに、上記課題を解決するために、本考案の埋設構造物は、前記側壁の外側の表面には凹部が形成されており、当該凹部の裏面に、前記薄肉部が配置されていることを特徴とする。
【０００７】
当該特徴によって、埋設構造物の外側からでも、凹部を目印にして電動ドリル等の工具で薄肉部に貫通孔を容易にあけることが出来る。
【０００８】
さらに、上記課題を解決するために、本考案の埋設構造物は、前記側壁の上端には、蓋体を載置する蓋掛部と、当該蓋掛部に隣接する位置決め板とが設けられており、当該位置決め板は、前記蓋掛部の外側に向けて傾斜していることを特徴とする。
【０００９】
当該特徴によって、蓋体を蓋掛部に載置する際に、位置決め板が目印になると共に、蓋体がズレないように蓋体を載置すべき位置へと案内することが出来る。さらに、位置決め板は蓋掛部の外側に向けて傾斜しているので、位置決め板に隣接する地面の深さを深くすることができ、位置決め板に隣接する地面が剥がれにくく欠損することを回避できる。
【考案の効果】
【００１０】
上記の本考案によれば、電線や配管等の収容物を地中に容易に埋設できる埋設構造物を提供できる。
【図面の簡単な説明】
【００１１】
【図１】本考案の埋設構造物の斜視図である。
【図２】（ａ）は本考案の埋設構造物の側面図、（ｂ）は埋設構造物の平面図、（ｃ）は埋設構造物の正面図である。
【図３】地中に埋設された本考案の埋設構造物の側面図である。
【図４】地中に埋設された本考案の埋設構造物の側面図である。
【図５】図４の点線で囲った部分の拡大図である。
【符号の説明】
【００１２】
１００        埋設構造物
２００        収容部本体
２１０        底壁
２１１        貫通孔
２２０        側壁
２２１        薄肉部
Ｙ            収容物
【考案を実施するための形態】
【００１３】
以下に、本考案の実施の形態について、図面を用いて説明する。なお、以下の説明において参照する各図の形状は、好適な形状寸法を説明する上での概念図又は概略図であり、寸法比率等は実際の寸法比率とは必ずしも一致しない。つまり、本考案は、図面における寸法比率に限定されるものではない。
【００１４】
図１及び図２は、本考案に係る埋設構造物１００を示すもので、図１は埋設構造物１００の斜視図、図２（ａ）は埋設構造物１００の側面図、図２（ｂ）は埋設構造物１００の平面図、図２（ｃ）は埋設構造物１００の正面図である。
【００１５】
この埋設構造物１００はコンクリート製の収容部本体２００から構成されており、この収容部本体２００は、底壁２１０と、当該底壁２１０の両側から立ち上がるように形成された側壁２２０とを備え、上方が開口した略Ｕ字状をしている。収容部本体２００の収容空間Ｘには、後述するように電線や、その他配管等の地中に埋設したい収容物Ｙを適宜収容することができる。
【００１６】
底壁２１０の略中央には、底壁２１０の表側から裏側へ貫通する貫通孔２１１が形成されている。この貫通孔２１１は、収容空間Ｘ内に溜まった雨水等を底壁２１０の下面へと排水できる。なお、底壁２１０には、２つの円形の貫通孔２１１が形成されているが、これに限定されることはなく、貫通孔２１１を１つのみ、又は、３つ以上設けてもよい。さらに、貫通孔２１１の形状は円形以外にも、四角形等の任意の形状であってもよい。
【００１７】
また、側壁２２０の一部には、薄肉部２２１が形成されている。具体的には、側壁２２０の外側表面には内側に窪んだ凹部２２２が形成されているので、当該凹部２２２が形成された部分の側壁２２０の厚さは薄くなっている。その厚さが薄くなった部分が、薄肉部２２１となる。そして、この薄肉部２２１は、凹部２２２の裏側に凹部２２２に隣接するように構成されているので、収容部本体２００の外側からでも、凹部２２２を目印として薄肉部２２１の位置を認識できるのである。
【００１８】
さらに、側壁２２０の上端２３０は平坦面となっており、後述する蓋体３００を載置するための蓋掛部２３１と、当該上端２３０から上方へ突出する位置決め板２４０とを備える。この蓋掛部２３１は、収容空間Ｘの両側に配置されており、蓋体３００を両側の蓋掛部２３１に掛け渡すように載置することができる。
【００１９】
また、位置決め板２４０は金属製の薄板であり、上端２３０の表面から上方へ向けて突出している。後述するように、両側の位置決め板２４０の内側には蓋体３００が配置され、位置決め板２４０の外側には地面Ｒが配置されるので、位置決め板２４０は、蓋体３００と地面Ｒとの境界の役割を果たしている。さらに、位置決め板２４０は、蓋掛部２３１より外側に向けて斜め上方に傾斜している。そのため、両側の位置決め板２４０間の幅Ｌ１は、位置決め板２４０の先端２４１ほど広くなっている。
【００２０】
なお、図２に示す埋設構造物１００では、側壁２２０の表面に凹部２２２を形成して、側壁２２０の厚さが薄くなった部分を薄肉部２２１としているが、これに限定されない。例えば、側壁２２０の内側表面、すなわち収容空間Ｘ側の表面に凹部２２２を形成して、側壁２２０の厚さが薄くなった部分を薄肉部２２１としてもよい。
【００２１】
では次に、本考案の埋設構造物１００を地中に埋設した状態を図３及び図４に示す。なお、図３及び図４は地中に埋設された埋設構造物１００の側面図である。また、埋設構造物１００は複数配置され、例えば道路等の路肩に沿うように連続して配置される。
【００２２】
図３に示すように、地面を掘り起こして出来た穴の底部Ｇに、平坦な設置台Ｐを配置し、埋設構造物１００を載せる。埋設構造物１００の底壁２１０と設置台Ｐの間にはモルタル等の接着剤が塗布されているので、埋設構造物１００は設置台Ｐに固定されている状態となる。そして、埋設構造物１００の収容空間Ｘに電線等の収容物Ｙを敷設する。この収容物Ｙは周囲の家屋等の構造物へ接続されるので、埋設構造物１００の収容空間Ｘ内から外部へ収容物Ｙを引き出す必要がある。その場合は、埋設構造物１００の外側から凹部２２２を目印にして、電動ドリル等の工具で薄肉部２２１に孔をあける。すると、側壁２２０の外部と内部の収容空間Ｘとを貫通する貫通孔２２３ができる。
【００２３】
次に、収容空間Ｘ内の収容物Ｙを、貫通孔２２３を介して外部の構造物へ向けて引き出し、埋設構造物１００の周囲を埋め戻せば、図３に示すように、埋設構造物１００は地面Ｒに埋設された状態となる。なお、地面Ｒの表面が位置決め板２４０の先端２４１と略同一となるまで、埋設構造物１００の周囲を埋め戻している。
【００２４】
次に図４に示すように、埋設構造物１００の蓋掛部２３１に蓋体３００を載置し、埋設構造物１００の収容空間Ｘを被蓋する。以上により、埋設構造物１００を埋設して地中への設置が完了する。なお、この蓋体３００の上面３１０は地面Ｒと同じ材料で構成されているので、地面Ｒと上面３１０の表面は同一の景観となり、美観に優れる。
【００２５】
このように、本考案の埋設構造物１００によれば、電線や配管等の収容物Ｙを収容部本体２００内に収容するだけで、収容物Ｙを地中に容易に埋設できる。さらに、側壁２２０に薄肉部２２１が形成されているので、収容物Ｙの引き出しのために、薄肉部２２１に貫通孔２２３を容易に形成することができる。さらに、収容物Ｙを収容した収容部本体２００の底壁２１０には貫通孔２１１が形成されているので、収容部本体２００内に雨水等が侵入しても、当該雨水は貫通孔２１１を介して埋設構造物１００の外部へ排出される。
【００２６】
さらに、本考案の埋設構造物１００によれば、側壁２２０の外側の表面に凹部２２２が形成されており、凹部２２２の裏面に薄肉部２２１が配置されているので、埋設構造物１００の外側からでも、凹部２２２を目印にして電動ドリル等の工具で薄肉部２２１に貫通孔２２３を容易にあけることが出来る。
【００２７】
次に、位置決め板２４０周辺の拡大図を図５に示す。この図５は、図４の点線で囲った部分の拡大図である。図５に示すように、埋設構造物１００の側壁２２０の上端２３０には、蓋掛部２３１と当該蓋掛部２３１に隣接するように位置決め板２４０が設けられているので、蓋体３００を蓋掛部２３１に載置する際に、位置決め板２４０が目印になると共に、蓋体３００がズレないように蓋体３００を載置すべき位置へと案内することが出来る。
【００２８】
さらに、位置決め板２４０は蓋掛部２３１の外側に地面Ｒに向けて傾斜している。そのため、位置決め板２４０に隣接する地面Ｒの深さＨを深くすることができる。具体的には、位置決め板２４０に隣接する地面Ｒの深さＨは、地面Ｒの表面から埋設構造物１００の上端２３０までの深さとなる。そして、位置決め板２４０と地面Ｒとの間を車両等が横断しても、位置決め板２４０に隣接する地面Ｒの深さＨが深いため、地面Ｒが剥がれにくく欠損することを回避できるのである。反対に、位置決め板２４０が蓋体３００に向けて傾斜していると、位置決め板２４０に隣接する地面Ｒの深さは、地面Ｒの表面から位置決め板２４０の表面までの深さとなり、図５の深さＨと比べて浅くなってしまい、地面Ｒが剥がれやすく欠損する虞がある。
【００２９】
なお、本考案の埋設構造物は、上記の実施例に限定されず、実用新案登録請求の範囲に記載された範囲、実施形態の範囲で、種々の変形例、組み合わせが可能であり、これらの変形例、組み合わせも本考案の範囲に含むものである。
【図１】
0003217909.tif 000003
【図２】
0003217909.tif 000004
【図３】
0003217909.tif 000005
【図４】
0003217909.tif 000006
【図５】
0003217909.tif 000007